(57)【要約】【課題】天板上に配管等を備えた液体貯蔵容器の天板に雨水が浸入するのを防止し、かつ安価に製造できるように、貯蔵容器用カバーを改良する。【解決手段】  プラスチックで形成された分割式カバー（１５）は、貯蔵容器（１）の天板（８）の縁に取付けられた固定のカバー部（１７）と、この固定のカバー部（１７）にヒンジ結合された揺動可能なカバー部（１８）とを有し、揺動可能なカバー部（１８）は、閉位置（１８ａ）においてその閉鎖縁部（１９）を貯蔵容器（１）の天板（８）の縁上に載せており、かつその覆い縁部（２０）にて固定のカバー部（１７）の正面開口（２４）の縁部（２３）を覆っている。【選択図】図３
2004191046.tif 000002
【特許請求の範囲】
【請求項１】
暖房用ボイラのオイルバーナの送り配管および戻り配管等の配管、液面計、吸上げポンプ、通気・排気バルブ等の運転装置のための接続口が天板に配置されてなる液体貯蔵容器のための前記天板のカバーであって、
プラスチックで形成された分割式カバー（１５）は、前記貯蔵容器（１）の天板（８）の縁部（１６）に取付けられた固定のカバー部（１７）と、該固定のカバー部（１７）にヒンジ結合された揺動可能なカバー部（１８）とを有し、該揺動可能なカバー部（１８）は、閉位置（１８ａ）においてその閉鎖縁部（１９）を前記貯蔵容器（１）の天板（８）の縁部（１６）上に載せており、かつその覆い縁部（２０）にて前記固定のカバー部（１７）の正面開口（２４）の縁部（２３）を覆っており、前記覆い縁部（２０）は、前記揺動可能なカバー部（１８）の正面開口（２１）を取り囲み、かつ前記揺動可能なカバー部（１８）の閉鎖縁部（１９）に対して斜めに傾斜した平面（２２‐２２）に沿って延び、前記揺動可能なカバー部（１８）は、開位置（１８ｂ）において前記式固定のカバー部（１７）上にゆとりをもって被さり、かつ該固定のカバー部（１７）によって支えられることを特徴とするカバー。
【請求項２】
前記固定のカバー部（１７）の正面開口（２４）の開口縁部（２３）に沿って排水樋（２７）が一体に形成されていることを特徴とする、請求項１記載のカバー。
【請求項３】
前記カバー（１５）の固定のカバー部（１７）と揺動可能なカバー部（１８）とが、それぞれスカート部（２９、３０）を備え、該スカート部（２９、３０）が前記貯蔵容器（１）の天板（８）の縁部（１６）上に被さり、前記揺動可能なカバー部（１８）がそのスカート部（３０）の一部に張出し部（３１）を備え、該張出し部（３１）は、前記揺動可能なカバー部（１８）が閉位置（１８ａ）にあるときに、該カバー部（１８）のスカート部（３０）と前記貯蔵容器（１）の天板（８）の縁部（１６）との間に、前記貯蔵容器（１）の接続口（９、１１）に連結された配管（１０、１２）が通る貫通孔（３２）を形成していることを特徴とする、請求項１または２記載のカバー。
【請求項４】
前記カバー（１５）を開閉するための取っ手（３４）を収容するために、前記揺動可能なカバー部（１８）に窪み（３３）が形成されていることを特徴とする、請求項１〜３のいずれか１項記載のカバー。
【請求項５】
前記揺動可能なカバー部（１８）の窪み（３３）内に、取っ手（３４）として役立つ短いパイプ（３５）が嵌め込まれていることを特徴とする、請求項４記載のカバー。
【請求項６】
前記カバー（１５）を施錠するための錠が前記揺動可能なカバー部（１８）に取付けられており、該錠が前記カバー（１５）を開閉するための取っ手を構成していることを特徴とする、請求項１〜３のいずれか１項記載のカバー。
【請求項７】
請求項１〜６に記載されたカバーの製造方法であって、プラスチック板材（３７）からカバー母体（３６）を深絞り成形し、該カバー母体（３６）から、前記板材（３７）の平面（４０‐４０）と平行な切断面（３９‐３９）によって深絞り縁部（３８）を切り落し、次いで前記カバー母体（３６）から、新たな２つの切断面（４２‐４２、４３‐４３）によって１つのセグメント（４１）を切り取ることにより、前記カバー母体（３６）を、前記貯蔵容器（１）の天板（８）の縁部（１６）に固定の第１カバー部（１７）と、該第１カバー部（１７）にヒンジ結合される第２カバー部（１８）とに分離することよりなり、その場合に、一方の切断面（４２‐４２）は、前記カバー母体（３６）の下稜（４４）に対し垂直またはほぼ垂直に排水樋（２７）の内側（４５）に沿って延び、他方の切断面（４３‐４３）は、前記カバー母体（３６）の下稜（４４）から出発して前記第１断面（４２‐４２）に対して斜めに前記カバー母体（３６）を通って延びていることを特徴とする、カバーの製造方法。
【発明の詳細な説明】
【技術分野】
【０００１】
本発明は、液体、特に燃料油等の可燃性液体の貯蔵容器の天板のカバーに関し、特に、暖房用ボイラのオイルバーナの送り配管および戻り配管等の配管、液面計、吸上げポンプ、通気・排気バルブ等の運転装置ための接続口を備えた貯蔵容器天板のカバーに関するものである。
【背景技術】
【０００２】
主として屋外に設置される燃料油貯蔵タンク用に使用されるカバーは、一般に板金から製造されるために、その製造には費用がかかる。
【発明の開示】
【発明が解決しようとする課題】
【０００３】
本発明の課題は、雨水等の浸入に対する最適防護と安価な製造とを可能にするために上述のような種類の貯蔵容器用カバーを改良することにある。
【課題を解決するための手段】
【０００４】
本発明によれば、請求項１に記載された特徴を有する貯蔵容器用カバーと、請求項７に記載されたカバーの製造方法とによって上記課題が解決される。
【発明を実施するための最良の形態】
【０００５】
以下、図面を参照して、本発明を詳細に説明する。
【０００６】
図において、液体、特に燃料油、廃油、潤滑油、ディーゼル燃料等の可燃性液体用の板金製直方体状貯蔵容器１は、底板２と、角が丸くなったコーナー部７を介して結合された４つの側壁３〜６と、天板８と、カバー１５とを備え、上記天板８には、暖房用ボイラのオイルバーナの送り配管１０用の接続口９と、戻り配管１２用の接続口１１と、液面計を挿入するための接続口１３と、通気・排気バルブ用接続口１４とが設けられ、上記カバー１５は上記接続口９、１１、１３、１４等の運転装置を覆うように構成されている。
【０００７】
プラスチックで作成された分割式カバー１５は、貯蔵容器１の天板８の縁部１６に取付けられた固定のカバー部１７と、この固定のカバー部１７にヒンジ結合された揺動可能なカバー部１８とからなる。この揺動可能なカバー部１８は、その閉位置１８ａにおいて閉鎖縁部１９を貯蔵容器１の天板８の縁部１６上に載せており、かつその覆い縁部２０にて固定のカバー部１７の正面開口２４の縁部２３を覆っている。上記覆い縁部２０は、揺動可能なカバー部１８の正面開口２１を取り囲み、かつ閉鎖縁部１９に対してカバー部１８の閉方向ａに傾いた平面２２−２２に沿って延びている。揺動可能なカバー部１８は、その開位置１８ｂにおいて固定のカバー部１７にゆとりをもって被さり、かつ正面稜２５が固定のカバー部１７の段差部２６によって支えられる。固定のカバー部１７の正面開口２４の開口縁部２３には排水樋２７が一体に形成されており、揺動可能なカバー部１８と固定のカバー部１７との間の隙間２８から場合によっては浸入するかも知れない雨水または雪解け水をこの排水樋２７を通じて外部に排出することができる。
【０００８】
カバー１５の固定のカバー部１７と揺動可能なカバー部１８とは、それぞれスカート部２９、３０を有し、これらのスカート部２９、３０は、貯蔵容器１の天板８の縁部１６に被さるようになっている。揺動可能なカバー部１８は、そのスカート部３０の一部に張出し部３１を有し、この張出し部３１は、揺動可能なカバー部１８が閉位置１８ａにあるときに、このカバー部１８のスカート部３０と貯蔵容器１の天板８の縁部１６との間に、貯蔵容器１の接続口９、１１に連結された、暖房用ボイラのオイルバーナの送り配管１０および戻り配管１２が通る貫通孔３２を形成している。
【０００９】
揺動可能なカバー部１８は、カバー１５を開閉するための取っ手３４を収容するための窪み３３を有し、取っ手３４は短いパイプ３５で構成されている。
【００１０】
短いパイプで構成された取っ手３４の代りに、カバー１５を施錠するための錠を揺動可能なカバー部１８に取付けることができ、その場合、この錠がカバー１５を開閉するための取っ手を構成する。
【００１１】
カバー１５を製造するために、図６に示すカバー母体３６がプラスチック板材３７から深絞り成形される。このカバー母体３６から、先ず最初に、板材３７の平面４０‐４０と平行な切断面３９‐３９によって深絞り縁部３８が切り落とされる。次にカバー母体３６は、貯蔵容器１の天板８の縁部１６に固定される第１カバー部１７と、この第１カバー部１７に対し揺動自在にヒンジ結合される第２カバー部１８とに分離される。カバー母体３６からの二つのカバー部１７、１８の分離は、新たな２つの切断面４２‐４２、４３‐４３によってカバー母体３６から１個のセグメント４１を切り取ることによって行われ、その場合に、一方の切断面４２‐４２は、カバー母体３６の下稜４４に垂直に排水樋２７の内側４５に沿って延び、他方の切断面４３‐４３は、カバー母体３６の下稜４４から出発して第１切断面４２‐４２に対して斜めにカバー母体３６を通って延びている。
【図面の簡単な説明】
【００１２】
【図１】カバーを閉じた状態の燃料油貯蔵容器の斜視図である。
【図２】カバーを開いた状態の燃料油貯蔵容器の斜視図である。
【図３】カバーを閉じた状態の容器の上部の側面図である。
【図４】カバーを開いた状態の容器の上部の側面図である。
【図５】カバーを閉じた状態の容器の上部の縦断面図である。
【図６】プラスチック板材から深絞り成形されたカバー母体を、２つのカバー部に分離するための切断面とともに示す側面図である。
【符号の説明】
【００１３】
１    貯蔵容器
８    天板
９、１１、１３、１４    接続口
１５    カバー
１６    縁部
１７、１８    カバー部
１８ａ    閉位置
１８ｂ    開位置
１９    閉鎖縁部
２０    覆い縁部
３６    カバー母体
３７    プラスチック板材
【図１】
2004191046.tif 000003
【図２】
2004191046.tif 000004
【図３】
2004191046.tif 000005
【図４】
2004191046.tif 000006
【図５】
2004191046.tif 000007
【図６】
2004191046.tif 000008